(57)【要約】【課題】床躯体の上面からの高さ寸法を小さくし易いカーテンウォールの支持装置の構造を実現する。【解決手段】床スラブの屋外側端部に断面Ｌ字形のファスナー３０を取り付けると共に、カーテンウォール２ａを構成する縦枠２１ａの上端部にブラケット３１を取り付ける。このブラケット３１を構成する第一ブラケット４２と第二ブラケット４３のうち、第二ブラケット４３をファスナー３０に固定し、この第二ブラケット４３に設けられた接合軸部６８を、縦枠２１に固定された第一ブラケット４２の接合筒部４６の内側に上下方向にのみ移動可能に挿入する。この接合筒部４６の内側に上方から調節ボルト４４を挿入し、この調節ボルト４４の下端面を接合軸部６８の上端面に突き当てる。【選択図】図３
2018017049.tif 000002
【特許請求の範囲】
【請求項１】
建造物の床躯体に取り付けられるファスナーと、
カーテンウォールに取り付けられるブラケットとを備え、
このうちのブラケットが、第一ブラケットと、第二ブラケットと、これら第一ブラケットと第二ブラケットとの上下方向位置を調節する為の調節ボルトとを有しており、
前記第一ブラケットが、前記カーテンウォールに固定される第一固定板部と、この第一固定板部の屋内側端部に上下方向に設けられ、屋内側の円周方向１個所に不連続部を有する接合筒部とを有しており、
前記第二ブラケットが、前記ファスナーの屋外側端部に設けられた屋外側立壁に対しボルトにより固定される第二固定板部と、この第二固定板部から屋内側に突出する状態で設けられ、前記屋外側立壁に対し上方から係止される係止鉤部と、前記第二固定板部から屋外側に突出する状態で設けられ、前記接合筒部の内側に上下方向にのみ移動可能に挿入される接合軸部とを有しており、
前記調節ボルトが、前記接合筒部の内側に上方から挿入され、その挿入量を調節可能な状態で前記第一ブラケットに支持されており、その下端面を前記接合軸部の上端面に当接させている
事を特徴とするカーテンウォール支持装置。
【請求項２】
前記第一固定板部と前記接合軸部と前記係止鉤部とが、屋内外方向に関する同一仮想線上に位置している、請求項１に記載したカーテンウォール支持装置。
【請求項３】
前記第一固定板部が、屋内外方向に対して直交する方向である幅方向に配置され、前記カーテンウォールに固定される固定板本体を有している、請求項１に記載したカーテンウォール支持装置。
【請求項４】
前記接合筒部の内側への前記調節ボルトの挿入量を最大にした状態で、この接合筒部のうち前記接合軸部よりも下方に空間が設けられている、請求項１〜３のうちの何れか１項に記載したカーテンウォール支持装置。
【請求項５】
前記接合筒部の下端部に、前記接合軸部がこの接合筒部の内側から下方に抜け出る事を防止する為の抜け止め部が設けられている、請求項１〜４のうちの何れか１項に記載したカーテンウォール支持装置。
【請求項６】
前記抜け止め部が、前記接合筒部の下端部に固定された抜け止め用ビスである、請求項５に記載したカーテンウォール支持装置。
【請求項７】
前記接合筒部の上下方向中間部に切り欠きが形成されており、この切り欠きの内側に前記調節ボルトと螺合するナットが回転を阻止された状態で設けられている、請求項１〜６のうちの何れか１項に記載したカーテンウォール支持装置。
【発明の詳細な説明】
【技術分野】
【０００１】
本発明は、ビルディング等の建造物の外壁面を構成するカーテンウォールを、躯体に対し支持固定する為のカーテンウォール支持装置の改良に関する。
【背景技術】
【０００２】
ビルディングの外壁面を構成するカーテンウォールを、このビルディングの躯体に対し支持固定する為に、躯体に取り付けたファスナーに対し、カーテンウォールに取り付けたブラケットを結合する構造が広く実施されている。図１２〜１３は、この様なカーテンウォールの支持構造として、特許文献１に記載された従来構造の１例を示している。
【０００３】
図示の例では、ビルディングの床躯体を構成する床スラブ１に対し、カーテンウォール２を支持固定する為に、この床スラブ１の屋外側端部に、１対のボルト３、３により、断面略コ字形のファスナー４を、屋内外方向（図１２の左右方向、図１３の上下方向）に関する位置調節を可能に固定している。
【０００４】
又、前記カーテンウォール２を構成する方立５に対し、１対の第一ブラケット６、６を、それぞれボルト７、７とナット８、８とを利用して固定している。そして、この様にして前記方立５に固定した前記各第一ブラケット６、６を、前記床スラブ１に固定された前記ファスナー４に対し、それぞれボルト９、９とナット１０、１０とにより、上下方向（図１２の上下方向、図１３の表裏方向）及び幅方向（図１２の表裏方向、図１３の左右方向）に関する位置調節を可能に結合している。
尚、本明細書及び特許請求の範囲に於いて、屋内外方向、上下方向、及び、幅方向とは、カーテンウォールを建造物に取り付けた状態での各方向を言う。
【０００５】
更に、前記各第一ブラケット６、６には、アングル材である第二ブラケット１１を、ボルト１２とナット１３とにより固定している。そして、この第二ブラケット１１を上下方向に挿通すると共に、この第二ブラケット１１の下面に固定されたナット１４に螺合した調節ボルト１５の下端面を、前記ファスナー４の上面に突き当てている。
【０００６】
この様な従来構造の場合には、前記カーテンウォール２を、前記床スラブ１に対し、上下方向、屋内外方向、及び、幅方向に関する位置を調節した状態で支持できる。このうちの上下方向に関する位置調節（高さ調節）は、前記床スラブ１に対する前記各第一ブラケット６、６の上下方向に関する取付位置を調節すると共に、前記調節ボルト１５のうち、前記第二ブラケット１１の下面から突出している部分の長さを調節する事により行える。又、屋内外方向に関する位置調節は、前記床スラブ１に対する前記ファスナー４の屋内外方向に関する取付位置を、幅方向に関する位置調節は、このファスナー４に対する前記各第一ブラケット６、６の幅方向に関する取付位置を、それぞれ調節する事により行える。
【０００７】
ところで、近年、ビルディングの外観に対する要求が多様化しており、ビルディングの外壁面を構成する腰部の上端部の位置を低くして窓部の割合を大きくしたいとの要望がある。ビルディングの外壁面をカーテンウォールにより構成する場合、室内空間（フロア）に対応する部分には窓部を構成するガラスパネルを配置し、上下方向に関して室内空間同士の間部分に存在する、床スラブや梁等の床躯体に対応する部分には腰部を構成する耐火ボード等を設置する事が、従来から行われている。この為、窓部の割合を大きくする為には、腰部を構成する部分の上端部の上下方向の位置を低く抑える（腰部の床面からの高さを抑え、窓部の下端部を床面に近づける）必要がある。
【０００８】
ところが、前述した従来構造の場合には、カーテンウォール２の高さ調節を行う為の調節ボルト１５の下端面を、ファスナー４の上面に突き当てている為、床スラブ１の上面からこの調節ボルト１５の上端面までの高さ寸法Ｈが嵩み易い。従って、腰部を構成する部分の上端部の上下方向の位置を高くする必要があり、窓部の割合を大きくする事が難しくなる。
【先行技術文献】
【特許文献】
【０００９】
【特許文献１】実開昭６２−６１８１１号公報
【発明の概要】
【発明が解決しようとする課題】
【００１０】
本発明は、上述の様な事情に鑑み、カーテンウォールの支持装置に関して、床躯体の上面からの高さ寸法を小さくし易い構造を実現すべく発明したものである。
【課題を解決するための手段】
【００１１】
本発明のカーテンウォール支持装置は、ファスナーと、ブラケットとを備えている。
このうちのファスナーは、建造物の床躯体（例えば床スラブ）に取り付けられる。
前記ブラケットは、カーテンウォール（を構成する縦枠や方立など）に取り付けられるものであり、第一ブラケットと、第二ブラケットと、これら第一ブラケットと第二ブラケットとの上下方向位置を調節する為の調節ボルトとを有している。
又、前記第一ブラケットは、前記カーテンウォールに固定される第一固定板部と、この第一固定板部の屋内側端部に上下方向に設けられ、屋内側の円周方向１個所に不連続部を有する接合筒部とを有している。
又、前記第二ブラケットは、前記ファスナーの屋外側端部に設けられた屋外側立壁に対しボルトにより固定される第二固定板部と、この第二固定板部の例えば上方部分から屋内側に突出する状態で設けられ、前記屋外側立壁に対し上方から係止される係止鉤部と、前記第二固定板部の例えば下方部分から屋外側に突出する状態で設けられ、前記接合筒部の内側に上下方向にのみ移動可能に挿入される接合軸部とを有している。
更に、前記調節ボルトは、前記接合筒部の内側に上方から挿入され、その挿入量を調節可能な状態で前記第一ブラケットに支持されている。そして、前記調節ボルトの下端面を、前記接合軸部の上端面に当接させて、前記カーテンウォールの重量を、前記第一ブラケット、前記調節ボルト、前記第二ブラケット、及び、前記ファスナーを介して、前記床躯体により支承している。
【００１２】
本発明を実施する場合には、例えば請求項２に記載した発明の様に、前記第一固定板部と前記接合軸部と前記係止鉤部とを、屋内外方向に関する同一仮想線上に配置する事ができる。
或いは、例えば請求項３に記載した発明の様に、前記第一固定板部を、屋内外方向に対して直交する方向である幅方向に（平行に）配置され、前記カーテンウォールに固定される固定板本体を有するものとする事もできる。
【００１３】
又、本発明を実施する場合には、例えば請求項４に記載した発明の様に、前記接合筒部の内側への前記調節ボルトの挿入量を最大にした状態（カーテンウォールを床躯体に対して最大限上方に移動させた状態）で、前記接合筒部のうち、前記接合軸部よりも下方に空間を設ける事ができる。
【００１４】
又、本発明を実施する場合には、例えば請求項５に記載した発明の様に、前記接合筒部の下端部に、前記接合軸部がこの接合筒部の内側から下方に抜け出る事を防止する為の抜け止め部を設ける事ができる。
この場合には、例えば請求項６に記載した発明の様に、前記接合筒部の下端部に抜け止め用ビス（又はピン）を固定し、この抜け止め用ビスの先端部を、この接合筒部の内側に突出させる事ができる。或いは、前記接合筒部の下端部の円周方向１乃至複数箇所を、径方向内方に向けて塑性変形させる事により、当該塑性変形部分を前記抜け止め部として利用する事もできる。
【００１５】
又、本発明を実施する場合には、例えば請求項７に記載した発明の様に、前記接合筒部の上下方向中間部に切り欠きを形成し、この切り欠きの内側に前記調節ボルトと螺合するナットを回転を阻止した状態で設ける事ができる。
【発明の効果】
【００１６】
以上の様な構成を有する本発明のカーテンウォール支持装置によれば、床躯体の上面からの高さ寸法を小さくする事ができる。
即ち、本発明の場合には、カーテンウォールの上下方向位置を調節する為の調節ボルトの下端面を、前述した従来構造の場合の様に、床躯体（床スラブ）に固定したファスナーの上面に当接させるのではなく、このファスナーに固定した第二ブラケットのうち、前記調節ボルトと共に第一ブラケットに設けた接合筒部の内側に挿入された接合軸部の上端面に当接させている。ここで、前記接合軸部の上下方向に関する形成位置の自由度は高い為、本発明によれば、前記調節ボルトの上端面までの高さ寸法を小さくする事ができる。
【００１７】
又、本発明の場合には、第一ブラケットを構成する接合筒部に、この第一ブラケットと前記第二ブラケットとを上下方向にのみ相対変位可能に接合する機能と、前記調節ボルトを挿入支持する機能との、２つの機能を併せ持たせる事ができる為、装置全体としての部品点数の低減及び小型化を図る事ができる。
【００１８】
更に、本発明の場合には、前記第一ブラケットに支持された調節ボルトの下端面を、前記ファスナーに固定した第二ブラケットの接合軸部の上端面に突き当てている。この為、地震の発生に基づき建造物に層間変位が発生した場合にも、前記接合軸部が、前記接合筒部の内側から上方に抜け出す事を有効に防止できる。又、本発明の場合には、前記第二ブラケットを構成する係止鉤部をファスナーに係止するだけでなく、同じく第二固定板部をボルトによりこのファスナーに固定している為、地震発生時にも、前記第二ブラケットがこのファスナーから脱落する事を有効に防止できる。
【００１９】
又、請求項２に記載した発明によれば、前記第一固定板部と前記接合軸部と前記係止鉤部とを、屋内外方向に関する同一仮想線上に配置している為、カーテンウォールの重量に基づいて、前記第一固定板部と前記接合軸部と前記係止鉤部とに曲げモーメントが発生する事を防止できる。従って、これら第一固定板部、接合軸部及び係止鉤部の厚さ寸法を、曲げモーメントが作用する場合に比べて小さくする事ができ、装置全体の小型化及び軽量化を図れる。
【００２０】
又、請求項４に記載した発明によれば、前記接合筒部の内側への前記調節ボルトの挿入量を最大にした（カーテンウォールを最大限上方に移動させた）場合にも、この接合筒部のうち前記接合軸部よりも下方に空間（変位代）を設けている。この為、地震の発生に起因して建造物に層間変位が発生した際に、前記接合軸部を前記空間に移動（下方に退避）させる事ができる。つまり、層間変位が発生した場合にも、この層間変位をカーテンウォールを面内回転させる事によって十分に吸収する事ができる｛ロッキング方式（機構）による層間変位の吸収を実現できる｝。
【００２１】
又、請求項５、６に記載した発明によれば、ブラケットを前記カーテンウォールに固定し、このブラケットを前記ファスナーに連結する以前の状態で、このブラケットを構成する第二ブラケットが、第一ブラケットから下方に抜け落ちる事を有効に防止できる。
【００２２】
更に、請求項７に記載した発明によれば、ナットの設置スペースを省略する事ができ、装置全体としての小型化を図れる。又、接合筒部の内側に雌ねじを形成する作業や、ナットの溶接作業を省略する事ができる。
【図面の簡単な説明】
【００２３】
【図１】本発明の実施の形態の第１例を示す、ビルディングの外壁面を屋外側から見た模式図。
【図２】同じく図１のＡ−Ａ断面模式図。
【図３】同じく図２のＢ部に相当する拡大図。
【図４】同じく図１のＣ−Ｃ断面図。
【図５】同じくブラケットを取り出して示す、正面図（Ａ）及び平面図（Ｂ）。
【図６】同じく第一ブラケット及び第二ブラケットを取り出して示す分解斜視図。
【図７】同じく図５の（Ａ）のＤ−Ｏ−Ｏ−Ｄ断面図。
【図８】同じく第一ブラケットを取り出して示す、正面図（Ａ）、平面図（Ｂ）、右側面図（Ｃ）、左側面図（Ｄ）。
【図９】同じく第二ブラケットを取り出して示す、正面図（Ａ）、平面図（Ｂ）、右側面図（Ｃ）、左側面図（Ｄ）。
【図１０】同じく調節ボルトの挿入量を調節する事でカーテンウォールの高さが調節可能となる事を説明する為の図であり、（Ａ）は最大限下方へ移動した状態を、（Ｂ）は最大限上方へ移動した状態を、それぞれ示している。
【図１１】本発明の実施の形態の第２例を示す、図７に相当する断面図。
【図１２】従来構造のカーテンウォールの支持構造を示す縦断面図。
【図１３】同じく横断面図。
【発明を実施するための形態】
【００２４】
［実施の形態の第１例］
図１〜１０は、本発明の実施の形態の第１例を示している。本例では、ビルディングの外壁面を構成する為に、複数のカーテンウォール２ａ、２ａを、上下左右に並べた状態で、ビルディングの床躯体に支持固定している。これら各カーテンウォール２ａは、ユニット化されたもの（ユニタイズドカーテンウォール）で、それぞれが１階分の高さ寸法を有しており、矩形状の支持枠１８の内側に後述する複数枚のパネルを組み込む事により構成されている。
【００２５】
前記支持枠１８は、それぞれがアルミニウム合金の押し出し型材製である、上枠１９及び下枠２０の水平方向両端部と、左右の縦枠２１ａ、２１ｂの上下方向両端部とを、タッピングねじにより結合固定する事により構成されている。又、前記支持枠１８の上下方向中間部には、やはりアルミニウム合金の押し出し型材製である無目２２を、前記両縦枠２１ａ、２１ｂに架け渡す様にして設けている。
【００２６】
そして、前記各カーテンウォール２ａの上部に位置する、前記両縦枠２１ａ、２１ｂと前記上枠１９と前記無目２２とにより四辺を囲まれた部分に、屋内側から順に、石膏ボード等の耐火ボード２３と化粧パネル２４（又はガラスパネル、スパンドレル等）とをそれぞれ組み込んで、腰部２５を構成している。これに対し、前記各カーテンウォール２ａの中間部乃至下部に位置する、前記両縦枠２１ａ、２１ｂと前記無目２２と前記下枠２０とにより四辺を囲まれた部分には、１対のガラスパネル２６、２６をそれぞれ組み込んで、窓部２７を構成している。
【００２７】
本例の場合、上述の様な構成を有するカーテンウォール２ａの上端部の幅方向２個所位置を、それぞれ支持装置２８ａ、２８ｂを利用して、梁２９によって支持された床スラブ１ａに支持固定している。これにより、前記腰部２５を、この床スラブ１ａの屋外側に配置し、前記窓部２７を、室内空間に対応する部分の屋外側に配置している。尚、前記床スラブ１ａの下方には、図示しない吊り下げ天井等が設置される。
【００２８】
上述した様に、本例の場合には、２個の支持装置２８ａ、２８ｂを利用して、前記各カーテンウォール２ａを前記床スラブ１ａに対し支持固定するが、これら２個の支持装置２８ａ、２８ｂは、幅方向に関して対称となる構成を有しており（図４参照）、基本的な構成及びその機能は同じである。この為、共通する部分に就いては、一方の支持装置２８ａを例に説明し、相違点に就いてのみ、それぞれの支持装置２８ａ、２８ｂを対象に説明する。
【００２９】
前記支持装置２８ａは、前記カーテンウォール２ａの上端部の幅方向２個所位置を、それぞれ前記床スラブ１ａに対して支持固定するものであり、この床スラブ１ａに取り付けられるファスナー３０と、前記カーテンウォール２ａを構成する縦枠２１ａ（２１ｂ）に取り付けられるブラケット３１とを備えている。
尚、本例の場合、図４に示した様に、幅方向に隣り合う１対のカーテンウォール２ａ、２ａを支持固定する支持装置２８ａ、２８ｂ同士の間で、ファスナー３０を共通利用している。つまり、幅方向片側のカーテンウォール２ａを構成する縦枠２１ａを支持固定する為のファスナー３０と、幅方向他側のカーテンウォール２ａを構成する縦枠２１ｂを支持固定する為のファスナー３０とで、共通部品を使用している。
【００３０】
前記ファスナー３０は、スチール製のアングル材で断面Ｌ字形に構成されており、水平方向に配置された取付板部３２と、この取付板部３２の屋外側端部から上方に向けて直角に折れ曲がる状態で設けられた屋外側立壁３３とを有している。この様な構成を有する前記ファスナー３０は、前記床スラブ１ａの屋外側端部に固定されたベースプレート（リブプレート）３４に対し、ボルト３５、３５とナット３６、３６とにより、屋内外方向（図３の左右方向、図４の上下方向）及び幅方向（図３の表裏方向、図４の左右方向）に関する位置調節を可能に固定されている。この為に、前記取付板部３２には、幅方向に離隔した状態で、それぞれが屋内外方向に長い１対の第一長孔３７、３７を形成していると共に、前記ベースプレート３４には、幅方向に離隔した状態で、それぞれが幅方向に長い１対の第二長孔３８、３８を形成している。そして、これら第一、第二両長孔３７、３８に前記各ボルト３５をそれぞれ下方から挿通し、これら各ボルト３５の上端部に前記各ナット３６を螺合すると共に締め付けている。これにより、前記ファスナー３０を、前記ベースプレート３４（床スラブ１ａ）に対し、前記各ボルト３５が前記両長孔３７、３８内を移動できる範囲で、屋内外方向及び幅方向に関する位置調節を可能に固定している。
【００３１】
又、前記屋外側立壁３３の上部には、この屋外側立壁３３の全幅に亙って、キャンバー３９を取り付けている。このキャンバー３９は、アルミニウム合金製で、断面略Ｌ字形に構成されており、前記屋外側立壁３３の上端面及び屋外側側面をそれぞれ覆っている。又、前記キャンバー３９のうち、上端面には、屋内外方向中間部が上方に膨らんだ凸面４０ａが全幅に亙り設けられており、屋外側側面には、上下方向中間部が屋外側に膨らんだ凸面４０ｂが全幅に亙り設けられている。この様な構成を有する前記キャンバー３９は、前記屋外側立壁３３の上部に対し、取付ビス４１により固定されている。
【００３２】
一方、前記カーテンウォール２ａを構成する縦枠２１ａ（２１ｂ）に取り付けられる前記ブラケット３１は、第一ブラケット４２と、第二ブラケット４３と、これら第一ブラケット４２と第二ブラケット４３との上下方向位置（カーテンウォール２ａの高さ）を調節する為の調節ボルト４４とを有している。
【００３３】
前記第一ブラケット４２は、アルミニウム合金の押し出し型材製で、断面略刺又状に構成されており、第一固定板部４５と、接合筒部４６とを有している。この第一固定板部４５は、上下方向に長い矩形板状に構成され、屋内外方向に平行に配置されており、屋内外方向中間部の上下方向両端寄り部分には、板厚方向に貫通する通孔４７ａ、４７ｂがそれぞれ形成されている。又、前記第一固定板部４５は、屋内側端部に比べて屋外側端部乃至屋内外方向中間部の板厚（幅寸法）が小さくなっている。この為、前記第一固定板部４５の幅方向両側面の屋内側部分には、上下方向に亙り段差面４８、４８が設けられている。そして、本例の場合には、この様な構成を有する前記第一固定板部４５を、前記各縦枠２１ａ（２１ｂ）の上端部の幅方向側面に重ね合わせ、前記各通孔４７ａ、４７ｂと、これら各縦枠２１ａ（２１ｂ）の上端部にそれぞれ形成した図示しない通孔とに、ボルト４９ａ、４９ｂをそれぞれ挿通し、これら各ボルト４９ａ、４９ｂの先端部にナット５０ａ、５０ｂを螺合すると共に締め付けている。これにより、前記第一固定板部４５を、前記各縦枠２１ａ（２１ｂ）の上端部の幅方向側面に固定している。又、本例の場合、前記段差面４８を、前記各縦枠２１ａ（２１ｂ）の隅角部に当接させる事で、前記第一固定板部４５（第一ブラケット４２）の屋内外方向に関する位置決めを図っている。
【００３４】
前記接合筒部４６は、断面略Ｃ字形（又は略Ｕ字形）で、前記第一固定板部４５の屋内側端部に上下方向に亙り設けられており、屋内側の円周方向１個所に不連続部５１を有している。又、前記接合筒部４６の内側（中心）には、上下方向に貫通した上下方向孔５２が設けられている。この上下方向孔５２（接合筒部４６の内面）は、屋外側半部の凹円筒面部５３と屋内側半部の矩形孔部５４とを連続させて成り、断面非円形状に構成されている。又、このうちの矩形孔部５４には、前記不連続部５１が連通している。
【００３５】
又、前記接合筒部４６の上端寄り部分には、切り欠き５５が形成されている。そして、図３及び図５の（Ａ）に示した様に、この切り欠き５５の内側に、前記調節ボルト４４と螺合可能なナット（緩み止めナット）５６を、前記第一ブラケット４２に対する相対回転を不能に設置している。具体的には、このナット５６の外周面を構成する６平面のうちの１平面を、前記切り欠き５５の奥端面に面接触させる事で、前記ナット５６の回り止めを図っている。この様な構成を有する本例の場合には、前記ナット５６の設置スペースを省略する事ができ、装置全体としての小型化を図れる。又、前記接合筒部４６の内側に雌ねじを形成する必要がなく、ナットを溶接する必要もない為、加工コストの低減を図る事もできる。
【００３６】
又、図４に示した様に、前記第一ブラケット４２を構成する前記第一固定板部４５の中心軸上（第一固定板部４５の幅方向中央部を通る仮想線Ｐ上）に、前記接合筒部４６の上下方向孔５２の中心軸が位置する（交差する）様に、前記第一固定板部４５と前記接合筒部４６との位置関係を規制している。つまり、これら第一固定板部４５と接合筒部４６とを、屋内外方向に関する同一仮想線Ｐ上に位置させている。
【００３７】
又、図３及び図５の（Ａ）に示した様に、前記接合筒部４６の下端部には、抜け止め用ビス７１を固定している。そして、この抜け止め用ビス７１の先端部を、前記接合筒部４６の内側に突出させている。尚、図示の例では、前記上下方向孔５２の中心を通る位置まで突出させている。又、前記抜け止め用ビス７１は、前記第一ブラケット４２を前記各縦枠２１ａ（２１ｂ）に固定するのに使用するボルト４９ａ、４９ｂと略平行に配置されている。
【００３８】
これに対し、前記第二ブラケット４３は、アルミニウム合金の押し出し型材製で、第二固定板部５７と、係止鉤部５８と、接合部５９とを有している。この第二固定板部５７は、上下方向に長い矩形板状に構成され、幅方向に平行に配置されており、幅方向及び上下方向中間部には、板厚方向に貫通する通孔６０が形成されている。そして、本例の場合には、この様な構成を有する前記第二固定板部５７を、前記ファスナー３０を構成する屋外側立壁３３の屋外側側面に対し前記キャンバー３９を介して重ね合わせている。そして、前記第二固定板部５７に形成された通孔６０と、このキャンバー３９及び前記屋外側立壁３３にそれぞれ形成された通孔６１、６２とに、屋外側からボルト６３を挿通し、このボルト６３の先端部（屋内側端部）にナット６４を螺合すると共に締め付けている。これにより、前記第二固定板部５７を、前記ファスナー３０を構成する屋外側立壁３３の屋外側側面に固定している。この状態で、前記第二固定板部５７の屋内側側面は、前記キャンバー３９の屋外側側面に設けられた曲面４０ｂに当接している。
【００３９】
前記係止鉤部５８は、側面視略Ｌ字形で、前記第二固定板部５７の屋内側側面のうちの上端部から、屋内側に突出する状態で設けられている。又、前記係止鉤部５８は、前記第二固定板部５７の屋内側側面に連続した基板部６５と、この基板部６５の屋内側端部の下面から下方に延出した下向鍔部６６とを有している。そして、本例の場合には、図３及び図４に示す様に、前記係止鉤部５８のうち、前記基板部６５を前記屋外側立壁３３の上方に位置させると共に、前記下向鍔部６６をこの屋外側立壁３３の屋内側に進入させる様にして、前記係止鉤部５８をこの屋外側立壁３３の上部に対し、前記キャンバー３９を介して上方から係止している。又、この状態で、前記基板部６５の屋内外方向中間部の下面を、前記キャンバー３９の上端面に設けられた曲面４０ａに当接させている。
【００４０】
上述の様に、本例の場合には、前記第二ブラケット４３を前記ファスナー３０に取り付けた状態で、前記第二固定板部５７の屋内側側面及び前記基板部６５の下面を、それぞれ前記キャンバー３９を構成する曲面４０ｂ、４０ａにそれぞれ当接させている。従って、前記ファスナー３０が水平面から上下方向に傾いた状態で取り付けられている場合（水平精度が良好でない場合）にも、前記第二ブラケット４３を、前記各曲面４０ａ、４０ｂに点接触させながら、前記ファスナー３０（キャンバー３９）に対し屋内外方向に揺動させる事で、前記カーテンウォール２ａの垂直度を確保できる。
【００４１】
前記接合部５９は、前記第二固定板部５７の屋外側側面のうちの下端部から、屋外側に突出する状態で設けられており、この第二固定板部５７の屋外側側面に連続した基部６７と、この基部６７の屋外側端部に設けられた接合軸部６８とを有している。この基部６７の幅方向寸法（厚さ寸法）は、屋内外方向に亙り一定であり、前記第一ブラケット４２を構成する不連続部５１の開口幅よりも僅かに小さい。又、前記基部６７の屋内外方向寸法は、前記接合筒部４６のうち前記不連続部５１部分に於ける屋内外方向寸法よりも僅かに大きい。
【００４２】
前記接合軸部６８は、屋外側半部の半円柱部６９と屋内側半部の矩形柱部７０とを連続させて成り、断面非円形状に構成されており、前記接合筒部４６の内面形状に合致した（僅かに小さい）外面形状を有している。又、前記接合軸部６８は、前記基部６７よりも大きな幅方向寸法を有しており、その上下方向寸法は、前記接合筒部４６の上下方向寸法の凡そ３〜４分の１（切り欠き５５よりも下方部分の凡そ２．５〜３分の１）程度である。そして、本例の場合には、この様な接合軸部６８を、前記接合筒部４６の内側に上下方向に挿入すると共に、前記基部６７を、前記不連続部５１の内側に位置させている。この状態で、前記接合軸部６８は、前記接合筒部４６の内側で上下方向にのみ移動可能となる。これにより、前記第一ブラケット４２と前記第二ブラケット４３とが、上下方向に関する相対変位のみを可能に接合される。従って、本例の場合には、前記第一ブラケット４２と前記第二ブラケット４３とが、前記接合軸部６８を中心として相対回転したり、幅方向及び屋内外方向に相対変位したりする事はない。より具体的には、前記接合筒部４６を構成する矩形孔部５４の内側に、この矩形孔部５４の内面形状に合致した前記接合軸部６８を構成する矩形柱部７０を挿入しており、これら矩形柱部７０の屋内側端面と前記矩形孔部５４の屋内側端面とを面接触させられる為、前記第一ブラケット４２と前記第二ブラケット４３との屋内外方向に関する相対変位を有効に防止できる。又、前記接合筒部４６の不連続部５１の幅を押し拡げる様な力を発生させずに済む（開き防止を図れる）。
【００４３】
又、図４に示す様に、前記第二ブラケット４３を構成する前記係止鉤部５８の中心軸上（係止鉤部５８の幅方向中央部を通る仮想線Ｐ上）に、前記接合軸部６８の中心軸が位置する（交差する）様に、前記係止鉤部５８と前記接合部５９との位置関係を規制している。つまり、これら係止鉤部５８と接合部５９とを、屋内外方向に関する同一仮想線Ｐ上に位置させている。尚、本例の場合、前記一方の支持装置２８ａは、前記係止鉤部５８と前記接合部５９とを、前記第二固定板部５７の幅方向片端寄り部分に設けているのに対し、他方の支持装置２８ｂは、前記第二固定板部５７の幅方向他端寄り部分に設けている。
【００４４】
又、本例の場合には、図３に示した様に、前記第二ブラケット４３を構成する係止鉤部５８を、前記屋外側立壁３３の上部に対し係止した状態（ファスナー３０に対する第二ブラケット４３の上下方向位置を規制した状態）で、前記接合軸部６８の上端面が、この屋外側立壁３３に固定されたキャンバー３９の上端面（更には屋外側立壁３３の上端面）よりも十分に下方に位置する様に、各部の寸法を規制している。
【００４５】
前記調節ボルト４４は、前記第一ブラケット４２を構成する接合筒部４６の内側に上方から挿入されている。又、この状態で、前記調節ボルト４４のうち、上端（基端）寄り部分には、調節用ナット７２が螺合しており、中間部乃至下端（先端）寄り部分には、前記切り欠き５５内に設置されたナット５６が螺合している。又、前記調節ボルト４４の下端面は、前記接合筒部４６の内側に挿入された前記接合軸部６８の上端面に当接している。この為、使用状態（本例の支持装置２８ａ、２８ｂによりカーテンウォール２ａを支持した状態）で、前記各カーテンウォール２ａの重量は、前記調節ボルト４４を介して前記第二ブラケット４３に支承される。この様な調節ボルト４４は、前記調節用ナット７２を緩めた状態で回転させる事により、前記接合筒部４６の内側への挿入量を調節可能となる。そして、この様に挿入量を調節する事で、前記第一ブラケット４２と前記第二ブラケット４３との上下方向位置（第二ブラケット４３に対する第一ブラケット４２の上下方向位置）、つまり、前記カーテンウォール２ａの高さを調節可能となる。又、前記挿入量を調節した後は、前記調節用ナット７２を締め付ける（接合筒部４６の上端面に押し付ける）事で、前記調節用ボルト４４の回転を阻止し、調節後の挿入量を維持する。
【００４６】
又、本例の場合には、各部の寸法を適正に規制する事により、図１０の（Ｂ）に示す様に、前記接合筒部４６の内側への前記調節ボルト４４の挿入量を最大にした（カーテンウォール２ａを最大限上方に移動させた）状態に於いても、前記接合軸部６８の下面と前記抜け止め用ビス７１との間に、所定の上下方向寸法を有する空間７３を設けている。
【００４７】
次に、前記各カーテンウォール２ａを、本例の支持装置２８ａ（２８ｂ）を用いて、前記床スラブ１ａに支持固定する手順に就いて説明する。
先ず、ビルディングの建設現場に於いて、前記支持装置２８ａを構成する前記ファスナー３０を、前記床スラブ１ａの屋外側端部に固定された前記ベースプレート３４に固定しておく。又、前記各カーテンウォール２ａを製造する製造工場に於いて、これら各カーテンウォール２ａを構成する縦枠２１ａ（２１ｂ）に、前記ブラケット３１を固定しておく。具体的には、前述した通り、前記第一ブラケット４２の第一固定板部４５を、前記各縦枠２１ａ（２１ｂ）の上端部に前記各ボルト４９ａ、４９ｂと前記各ナット５０ａ、５０ｂとにより固定しておく。
【００４８】
次いで、製造工場から建設現場に搬送した前記各カーテンウォール２ａを、前記ビルディングの躯体を構成する前記床スラブ１ａに、１階から最上階へと順番に取り付けていく。尚、この取付作業は、タワークレーンを利用して前記各カーテンウォール２ａを吊り上げつつ、躯体側にいる作業者によって行う。
【００４９】
具体的には先ず、前記ブラケット３１を構成する第二ブラケット４３の係止鉤部５８を、前記ファスナー３０を構成する屋外側立壁３３（キャンバー３９）の上部に係止させる。これにより、前記各カーテンウォール２ａを前記ファスナー３０に対して仮止めする。
【００５０】
次いで、前記第二ブラケット４３を構成する第二固定板部５７を、前記各ボルト６３と前記各ナット６４とにより、前記ファスナー３０の屋外側立壁３３の屋外側側面に固定する。
【００５１】
その後、前記調節ボルト４４を回動させて、前記第一ブラケット４２の接合筒部４６の内側へのこの調節ボルト４４の挿入量を調節する事により、前記各カーテンウォール２ａの高さを調節する。具体的には、測定器等を利用して、例えば前記床スラブ１ａの上面からの前記上枠１９の高さ位置を測定し、前記調節ボルト４４を所定方向に所定量だけ回動させる。例えば、前記各カーテンウォール２ａの高さが基準位置よりも高い場合には、図１０の（Ａ）に示す様に、前記調節ボルト４４を前記接合筒部４６への挿入量が少なくなる方向に所定量だけ回動させて、前記各カーテンウォール２ａを下方に移動させる。これに対し、前記各カーテンウォール２ａの高さが基準位置よりも低い場合には、同図の（Ｂ）に示す様に、前記調節ボルト４４を前記接合筒部４６への挿入量が多くなる方向に所定量だけ回動させて、前記各カーテンウォール２ａを上方に移動させる（引き上げる）。
【００５２】
又、前記各カーテンウォール２ａの水平方向に関する位置調節を行うには、前記各ボルト３５に対して前記各ナット３６を緩めた状態で、前記ベースプレート３４に対し前記ファスナー３０を屋内外方向及び幅方向に移動させる。これにより、前記カーテンウォール２ａの屋内外方向及び幅方向に関する位置を調節する。位置調節後は、前記各ナット３６を前記各ボルト３５に対して緊締する。
【００５３】
以上の様にして、本例の支持装置２８ａ（２８ｂ）を利用して前記各カーテンウォール２ａを前記床スラブ１ａに支持固定した状態で、これら各カーテンウォール２ａの重量は、前記第一ブラケット４２、前記調節ボルト４４、前記第二ブラケット４３、及び、前記ファスナー３０を介して、前記床スラブ１ａにより支承される。又、前記床スラブ１ａの屋外側に、前記各カーテンウォール２ａの上部に設けられた腰部２５が位置し、前記室内空間の屋外側に、これら各カーテンウォール２ａの中間部乃至下部に設けられた窓部２７が位置する。又、本例の場合には、前記第一ブラケット４２の接合筒部４６の下端部に、前記抜け止め用ビス７１を固定している為、前記各カーテンウォール２ａの搬送時や吊り上げ作業時等に、前記第二ブラケット４３（接続軸部６８）が前記第一ブラケット４２（接合筒部４６）から下方に抜け落ちる事を有効に防止できる。
【００５４】
以上の様な構成を有する本例の場合には、前記床スラブ１ａの上面からの高さ寸法を小さくする事ができる。
即ち、本例の場合には、前記各カーテンウォール２ａの上下方向位置を調節する為の調節ボルト４４の下端面を、前述した従来構造の場合の様に、床スラブに固定したファスナーの上面に当接させるのではなく、前記ファスナー３０に固定した第二ブラケット４３のうち、前記調節ボルト４４と共に前記接合筒部４６の内側に挿入された、前記ファスナー３０の上端面（キャンバー３９の上端面）よりも十分に下方に位置する前記接合軸部６８の上端面に当接させている。この為、本例の場合には、前記床スラブ１ａの上面から前記調節ボルト４４の上端面までの高さ寸法ｈを短縮できる（ｈ＜Ｈ）。この結果、前記腰部２５の上端部（上枠１９）の上下方向の位置を低くする事ができ、ビルディングの外壁面に占める前記窓部２７の割合を大きくする事ができる。
【００５５】
又、本例の場合には、前記第一ブラケット４２を構成する接合筒部４６に、この第一ブラケット４２と前記第二ブラケット４３とを上下方向にのみ相対変位可能に接合する機能と、前記調節ボルト４４を挿入支持する機能との、２つの機能を併せ持たせている。この為、支持装置２８ａ（２８ｂ）全体としての部品点数の低減及び小型化を図る事ができる。
【００５６】
更に本例の場合には、前記調節ボルト４４の下端面を、前記接合軸部６８の上端面に突き当てている。この為、地震の発生に基づき建造物に層間変位が発生した場合にも、前記接合軸部６８が、前記接合筒部４６の内側から上方に抜け出す事を有効に防止できる。しかも、本例の場合には、前記図１０の（Ｂ）に示す様に、前記調節ボルト４４の挿入量を最大にした状態に於いても、前記接合軸部６８の下面と前記抜け止め用ビス７１との間に、所定の上下方向寸法を有する空間（変位代）７３を設けている為、層間変位が発生した場合にも、前記接合軸部６８が、前記接合筒部４６の内側から下方に抜け出す事を有効に防止できる（下方に退避させる事ができる）。つまり、層間変位が発生した場合にも、この層間変位を前記各カーテンウォール２ａを面内回転させる事によって十分に吸収する事ができる｛ロッキング方式（機構）による層間変位の吸収を実現できる｝。又、本例の場合には、前記係止鉤部５８を前記ファスナー３０に係止するだけでなく、前記第二固定板部５７を前記ボルト６３によりこのファスナー３０に固定している為、地震発生時にも、前記第二ブラケット４３がこのファスナー３０から脱落する事を有効に防止できる。
【００５７】
又、本例の場合には、前記第一固定板部４５と前記接合軸部６８と前記係止鉤部５８とを、屋内外方向に関する同一仮想線上に配置している。この為、前記各カーテンウォール２ａの重量に基づいて、前記第一固定板部４５と前記接合軸部６８と前記係止鉤部５８とに曲げモーメントが発生する事を防止できる。従って、これら第一固定板部４５、接合軸部６８及び係止鉤部５８の厚さ寸法を、曲げモーメントが作用する場合に比べて小さくする事ができ、装置全体の小型化及び軽量化を図れる。
【００５８】
［実施の形態の第２例］
図１１は、本発明の実施の形態の第２例を示している。本例の場合には、カーテンウォール２ａに取り付けるブラケット３１ａを構成する第一ブラケット４２ａの構造を、前記実施の形態の第１例の構造とは異ならせている。
【００５９】
即ち、本例の場合には、前記第一ブラケット４２ａを構成する第一固定板部４５ａを、屋内外方向（図１１の左右方向）に配置された持出部７４と、屋内外方向に対して直交する方向である幅方向（図１１の上下方向）に配置された固定板本体７５と、係止部７６とから構成している。このうちの持出部７４は、矩形平板状に構成されており、その屋内側端部に接合筒部４６が設けられている。又、前記持出部７４の屋外側端部（固定板本体７５よりも屋外側部分）を、前記係止部７６としている。この係止部７６は、前記カーテンウォール２ａを構成する縦枠２１ａ（２１ｂ）の幅方向側面に係止（当接）する事で、これら各縦枠２１ａ、２１ｂに対する前記第一ブラケット４２ａの幅方向に関する位置決めを図るのに利用する。又、前記固定板本体７５は、前記持出部７４の屋内外方向中間部から幅方向に突出する（直角に折れ曲がる）状態で設けられており、前記各縦枠２１ａ（２１ｂ）の屋内側側面に固定される。この為に、前記固定板本体７５には、板厚方向に貫通する通孔４７ｃが形成されている。
【００６０】
以上の様な構成を有する本例の場合には、前記第一ブラケット４２ａの屋内外方向に関する寸法を小さくする事ができる。又、前記カーテンウォール２ａ（縦枠２１ａ、２１ｂ）に取り付けた状態で、前記第一ブラケット４２ａを外部から目立たなくする事もできる。尚、本例の変形例として、上述した第一ブラケット４２ａから、持出部７４及び係止部７６を省略した構造（幅方向に配置された固定板本体７５のみを設ける構造）を採用する事もできる。この場合には、固定板本体７５の屋内側側面の一部に接合筒部４６を直接設ける事ができる。
その他の構成及び作用効果に就いては、前記実施の形態の第１例の場合と同様である。
【産業上の利用可能性】
【００６１】
上述した実施の形態の第１例では、カーテンウォールを支持固定するのに利用する２個の支持装置に関して、第一ブラケットは共通部品を使用しており、第二ブラケットは専用部品を使用しているが、本発明を実施する場合には、第二ブラケットに関しても共通部品を使用する事ができる。又、本発明を実施する場合には、従来構造の場合の様に、カーテンウォールを構成する方立を床躯体に対し支持固定する構造を採用する事もできる。
【符号の説明】
【００６２】
１、１ａ  床スラブ
２、２ａ  カーテンウォール
３    ボルト
４    ファスナー
５    方立
６    第一ブラケット
７    ボルト
８    ナット
９    ボルト
１０    ナット
１１    第二ブラケット
１２    ボルト
１３    ナット
１４    ナット
１５    調節ボルト
１６    ナット
１７    ナット
１８    支持枠
１９    上枠
２０    下枠
２１ａ、２１ｂ  縦枠
２２    無目
２３    耐火ボード
２４    化粧パネル
２５    腰部
２６    ガラスパネル
２７    窓部
２８ａ、２８ｂ  支持装置
２９    梁
３０    ファスナ
３１    ブラケット
３２    取付板部
３３    屋外側立壁
３４    ベースプレート
３５    ボルト
３６    ナット
３７    第一長孔
３８    第二長孔
３９    キャンバー
４０ａ、４０ｂ  曲面
４１    取付ビス
４２、４２ａ  第一ブラケット
４３    第二ブラケット
４４    調節ボルト
４５、４５ａ  第一固定板部
４６    接合筒部
４７ａ、４７ｂ、４７ｃ  通孔
４８    段差面
４９ａ、４９ｂ  ボルト
５０ａ、５０ｂ  ナット
５１    不連続部
５２    上下方向孔
５３    凹円筒面部
５４    矩形孔部
５５    切り欠き
５６    ナット
５７    第二固定板部
５８    係止鉤部
５９    接合部
６０    通孔
６１    通孔
６２    通孔
６３    ボルト
６４    ナット
６５    基板部
６６    下向鍔部
６７    基部
６８    接合軸部
６９    半円柱部
７０    矩形柱部
７１    抜け止め用ビス
７２    調節用ナット
７３    空間
７４    持出部
７５    固定板本体
７６    係止部
【図１】
2018017049.tif 000003
【図２】
2018017049.tif 000004
【図３】
2018017049.tif 000005
【図４】
2018017049.tif 000006
【図５】
2018017049.tif 000007
【図６】
2018017049.tif 000008
【図７】
2018017049.tif 000009
【図８】
2018017049.tif 000010
【図９】
2018017049.tif 000011
【図１０】
2018017049.tif 000012
【図１１】
2018017049.tif 000013
【図１２】
2018017049.tif 000014
【図１３】
2018017049.tif 000015